(57)【特許請求の範囲】
【請求項１】
磁力で金属面に吸着固定することができる３個の脚部材を有する支持台と、この支持台の上面に形成された弧状の凹部に該支持台の磁力で回動可能に吸着固定されたほぼ半円弧状の金属材製の反射鏡と、この反射鏡内に発光体が位置するように、該反射鏡に取付けられたバッテリーで発光体を点灯させる点灯装置とからなることを特徴とする作業用電灯。
【請求項２】
磁力で金属面に吸着固定することができる３個の脚部材を有する支持台と、この支持台の上面に形成された弧状の凹部に、該支持台の磁力で回動可能に吸着固定される金属材製のほぼ球状の支持体が外側面に形成された、ほぼ半円弧形状の反射鏡と、この反射鏡内に発光体が位置するように、該反射鏡に取付けられたバッテリーで発光体を点灯させる点灯装置とからなることを特徴とする作業用電灯。
【請求項３】
磁力で金属面に吸着固定することができる底面に３個の脚部材を有し、上面に弧状の凹部が形成された円盤状の支持台と、この支持台の上面に形成された弧状の凹部に、該支持台の磁力で回動可能に吸着固定される金属材製で支持台の直径よりも大きい直径のほぼ半円弧形状の反射鏡と、この反射鏡内に発光体が位置するように、該反射鏡に取付けられたバッテリーで発光体を点灯させる点灯装置とからなることを特徴とする作業用電灯。
【請求項４】
磁力で金属面に吸着固定することができる３個の脚部材を有する支持台と、この支持台の上面に形成された弧状の凹部に該支持台の磁力で回動可能に吸着固定されたほぼ半円弧状の金属材製の反射鏡と、この反射鏡内に発光体が位置しコードを介してバッテリーや商業電源に接続させることにより発光体を点灯させる点灯装置とからなることを特徴とする作業用電灯。
【発明の詳細な説明】
【０００１】
【発明の属する技術分野】
本発明は自動車等を修理する場合等に使用される作業用電灯に関する。
【０００２】
【従来の技術】
従来、この種の作業用電灯は床面に設置する電球の外周部を格子状のカバーで覆ったものや、ペンシル型の懐中電灯が使用されている。
【０００３】
【発明が解決しようとする課題】
従来の作業用電灯ではエンジンルーム等の修理を行なう場合に、修理箇所を照明できなかったり、照明しても、片手で懐中電灯を持たなければならず、作業性が悪いという欠点があった。
また、ペンシル型の懐中電灯は棒状であるため、狭い空間では上下方向の照明しかできず、上下方向の空間から側方に入り込んだ部位の照明は不可能であるという欠点があった。
【０００４】
本発明は以上のような従来の欠点に鑑み、狭くて入り込んだ場所でも照明することができるとともに、金属材であればどこにでも吸着固定して、作業場所を照明しながら、両手を使用しての修理作業を行なうことができる作業用電灯を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は磁力で金属面に吸着固定することができる３個の脚部材を有する支持台と、この支持台の上面に形成された弧状の凹部に該支持台の磁力で回動可能に吸着固定されたほぼ半円弧状の金属材製の反射鏡と、この反射鏡内に発光体が位置するように、該反射鏡に取付けられたバッテリーで発光体を点灯させる点灯装置とで作業用電灯を構成している。
【０００７】
【発明の実施の形態】
以下、図面に示す実施の形態により、本発明を詳細に説明する。
【０００８】
図１ないし図９に示す本発明の第１の実施の形態において、１は小型で金属部分に吸着させて作業部分等を照明することができる本発明の作業用電灯で、この作業用電灯１は直径が２０ｍｍ、高さ寸法が１０ｍｍの円盤状の磁性材で形成された支持台本体２、この支持台本体２の下面に固定された半球状の３個の脚部材３、３、３と、前記支持台本体２の上面に形成された弧状の凹部４とからなる支持台５と、この支持台５の弧状の凹部４に上下方向に所定量回動可能に吸着固定される、直径が３０ｍｍのほぼ半円弧状の金属材製の反射鏡６と、この反射鏡６内に発光体７が位置するように、該反射鏡６に取付けられたバッテリー８で発光体７を点灯させる点灯装置９とで構成されている。
【０００９】
前記点灯装置９は図９に示すように、前記反射鏡６の中央部に外方に突出するように固定されたケース体１０と、このケース体１０の反射鏡６内に位置する先端部に取付けられた電球、発光ダイオード等の発光体７と、前記ケース体１０の後端部に開閉蓋１１を介して収納されたボタン形状のバッテリー８と、このバッテリー８と前記発光体７とをスイッチ１３を介して接続された配線１４とで構成されている。
【００１０】
上記構成の作業用電灯１は、点灯装置９のスイッチ１３をＯＮ状態にして発光体７を点灯させ、３個の脚部材３、３、３によって金属部分に支持台５を吸着固定することができる。
この時、支持台５を水平方向に回動することにより、水平方向の照明部分を選択することができるとともに、支持台５の弧状の凹部４に吸着固定されている反射鏡６を上下方向に所定量回動させることにより、上下方向の照明部分を選択して使用することができるので、照明したい部位を確実に照明することができる。
【００１１】
【発明の異なる実施の形態】
次に、図１０ないし図３３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１２】
図１０ないし図１３に示す本発明の第２の実施の形態において、前記本発明の第１の実施の形態と主に異なる点は、下部側に長孔状のガイド溝１５が形成された反射鏡６Ａと、この反射鏡６Ａを所定量上下方向に回動できるようにガイド溝１５と係合する係合ピン１６を支持台５に固定した点で、このように構成された作業用電灯１Ａにしても、前記本発明の第１の実施の形態と同様な作用効果が得られるとともに、支持台５と反射鏡６Ａが外れたりするのを係合ピン１６によって確実に阻止することができる。
【００１３】
図１４ないし図１６に示す本発明の第３の実施の形態において、前記本発明の第１の実施の形態と主に異なる点は、反射鏡６内に点灯装置９Ａを配置した点で、このように構成した作業用電灯１Ｂにしても、前記本発明の第１の実施の形態と同様な作用効果が得られる。
【００１４】
図１７ないし図１９に示す本発明の第４の実施の形態において、前記本発明の第１の実施の形態と主に異なる点は、反射鏡６の外側面に金属材製のほぼ球状の支持体１７を形成するとともに、該支持体１７が所定量上下方向に回動可能に吸着固定することができる弧状の凹部４Ａを形成した支持台５Ａを用いた点で、このように構成した作業用電灯１Ｃにしても、前記本発明の第１の実施の形態と同様な作用効果が得られる。
【００１５】
図２０ないし図２２に示す本発明の第５の実施の形態において、前記本発明の第４の実施の形態と主に異なる点は、点灯装置９のケース体１０に溶接等によって固定される軸１８と、支持台５Ａの弧状の凹部４Ａに支持される球体１９とからなる支持体１７Ａを用いた点で、このように構成した作業用電灯１Ｄにしても前記本発明の第４の実施の形態と同様な作用効果が得られる。
【００１６】
図２３ないし図２５に示す本発明の第６の実施の形態において、前記本発明の第１の実施の形態と主に異なる点は、点灯装置９のケース体１０Ａを金属材製の球状に形成して、支持台５Ａの弧状の凹部４Ａに所定量回動可能に吸着固定できるようにした点で、このように構成された作業用電灯１Ｅにしても、前記本発明の第１の実施の形態と同様な作用効果が得られる。
【００１７】
図２６ないし図２８に示す本発明の第７の実施の形態において、前記本発明の第５の実施の形態と主に異なる点は、反射鏡６内に点灯装置９Ｂを配置し、反射鏡６の下部前面部位に固定された支持体１７Ｂで支持した点で、このように構成した作業用電灯１Ｆにしても、前記本発明の第５の実施の形態と同様な作用効果が得られる。
【００１８】
図２９ないし図３１に示す本発明の第８の実施の形態において、前記本発明の第１の実施の形態と主に異なる点は、反射鏡６内に点灯装置９Ｂが位置するように支持軸２０を用いて固定した点で、このように構成した作業用電灯１Ｇにしても、前記本発明の第１の実施の形態と同様な作用効果が得られる。
【００１９】
図３２に示す本発明の第９の実施の形態において、前記本発明の第３の実施の形態と主に異なる点は、反射鏡６内に発光体７が位置するように取付け、コード２１を介してバッテリー１２Ａに接続された点灯装置９Ｃを用いた点で、このような点灯装置９Ｃを用いて構成した作業用電灯１Ｈにしても、前記本発明の第３の実施の形態と同様な作用効果が得られる。
【００２０】
図３３に示す本発明の第１０の実施の形態において、前記本発明の第３の実施の形態と主に異なる点は、反射鏡６内に発光体７が位置するように取付け、コード２１を介して商業電源２２に接続された点灯装置９Ｄを用いた点で、このような点灯装置９Ｄを用いて構成した作業用電灯１Ｉにしても、前記本発明の第３の実施の形態と同様な作用効果が得られる。
【００２１】
【発明の効果】
以上の説明から明らかなように、本発明にあっては次に列挙する効果が得られる。
【００２２】
（１）磁力で金属面に吸着固定することができる３個の脚部材を有する支持台と、この支持台の上面に形成された弧状の凹部に該支持台の磁力で回動可能に吸着固定されたほぼ半円弧状の金属材製の反射鏡と、この反射鏡内に発光体が位置するように、該反射鏡に取付けられたバッテリーで発光体を点灯させる点灯装置とで構成されているので、金属面に挟着固定させて照明することができる。
したがって、両手で作業を行なうことができるとともに、設置場所を比較的自由に設定することができる。
【００２３】
（２）前記（１）によって、支持台を水平方向に回動させるとともに、反射鏡を上下方向に所定量回動させることにより、照明したい部位にピンポイント状態で確実に照明することができる。
【００２４】
（３）前記（１）によって、小型コンパクトに形成することができるので、狭い場所にでも挿入して作業場所を照明することができる。
【００２５】
（４）前記（１）によって、支持台の磁力によって、任意の位置への設置と反射鏡の固定を行なうことができる。
したがって、構造が簡単で、安価に製造することができる。
【００２６】
（５）請求項２、３、４も前記（１）〜（４）と同様な効果が得られる。
【図面の簡単な説明】
【図１】本発明の第１の実施の形態の正面図。
【図２】本発明の第１の実施の形態の側面図。
【図３】本発明の第１の実施の形態の背面図。
【図４】本発明の第１の実施の形態の平面図。
【図５】本発明の第１の実施の形態の底面図。
【図６】本発明の第１の実施の形態の支持台の説明図。
【図７】図９の７−７線に沿う断面図。
【図８】本発明の第１の実施の形態の動作説明図。
【図９】本発明の第１の実施の形態の点灯装置の回路図。
【図１０】本発明の第２の実施の形態の正面図。
【図１１】本発明の第２の実施の形態の反射鏡の説明図。
【図１２】本発明の第２の実施の形態の支持台の説明図。
【図１３】本発明の第２の一部破断拡大側面図。
【図１４】本発明の第３の実施の形態の正面図。
【図１５】本発明の第３の実施の形態の側面図。
【図１６】本発明の第３の実施の形態の背面図。
【図１７】本発明の第４の実施の形態の正面図。
【図１８】本発明の第４の実施の形態の側面図。
【図１９】本発明の第４の実施の形態の背面図。
【図２０】本発明の第５の実施の形態の正面図。
【図２１】本発明の第５の実施の形態の側面図。
【図２２】本発明の第５の実施の形態の背面図。
【図２３】本発明の第６の実施の形態の正面図。
【図２４】本発明の第６の実施の形態の側面図。
【図２５】本発明の第６の実施の形態の背面図。
【図２６】本発明の第７の実施の形態の正面図。
【図２７】本発明の第７の実施の形態の側面図。
【図２８】本発明の第７の実施の形態の背面図。
【図２９】本発明の第８の実施の形態の正面図。
【図３０】本発明の第８の実施の形態の側面図。
【図３１】本発明の第８の実施の形態の背面図。
【図３２】本発明の第９の実施の形態の側面図。
【図３３】本発明の第１０の実施の形態の側面図。
【符号の説明】
１、１Ａ〜１Ｉ：作業用電灯、
２：支持台本体、        ３：脚部材、
４、４Ａ：弧状の凹部、  ５、５Ａ：支持台、
６、６Ａ：反射鏡、      ７：発光体、
８：バッテリー、
９、９Ａ、９Ｂ、９Ｃ、９Ｄ：点灯装置、
１０、１０Ａ：ケース体、
１１：開閉蓋、          １２、１２Ａ：バッテリー、
１３：スイッチ、        １４：配線、
１５：ガイド溝、        １６：係合ピン、
１７、１７Ａ、１７Ｂ：支持体、
１８：軸、
１９：球体、
２０：支持軸、          ２１：コード、
２２：商業電源。
【図１】
0004105449.tif 000002
【図２】
0004105449.tif 000003
【図３】
0004105449.tif 000004
【図４】
0004105449.tif 000005
【図５】
0004105449.tif 000006
【図６】
0004105449.tif 000007
【図７】
0004105449.tif 000008
【図８】
0004105449.tif 000009
【図９】
0004105449.tif 000010
【図１０】
0004105449.tif 000011
【図１１】
0004105449.tif 000012
【図１２】
0004105449.tif 000013
【図１３】
0004105449.tif 000014
【図１４】
0004105449.tif 000015
【図１５】
0004105449.tif 000016
【図１６】
0004105449.tif 000017
【図１７】
0004105449.tif 000018
【図１８】
0004105449.tif 000019
【図１９】
0004105449.tif 000020
【図２０】
0004105449.tif 000021
【図２１】
0004105449.tif 000022
【図２２】
0004105449.tif 000023
【図２３】
0004105449.tif 000024
【図２４】
0004105449.tif 000025
【図２５】
0004105449.tif 000026
【図２６】
0004105449.tif 000027
【図２７】
0004105449.tif 000028
【図２８】
0004105449.tif 000029
【図２９】
0004105449.tif 000030
【図３０】
0004105449.tif 000031
【図３１】
0004105449.tif 000032
【図３２】
0004105449.tif 000033
【図３３】
0004105449.tif 000034